(57)【要約】      （修正有）【課題】騒音などの発生を極力抑えつつ、水道配管の更新を安価にかつ短期間で行える水道直結化及び配管改修工事に適した水道配管設備を提供する。【解決手段】水道直結化及び配管改修工事に適した水道配管設備は、地表に配置された水道管１６と、一対の側壁と頂壁とを連結してなる断面Ｕ字状またはコ字状の遮蔽体２０と、を有する。遮蔽体は、一対の側壁を地表に接した状態で、水道管を覆い隠すため、水道管を保護することができる。【選択図】図１
0003227126.tif 000002
【実用新案登録請求の範囲】
【請求項１】
地表に配置された水道管と、
一対の側壁と頂壁とを連結してなる断面Ｕ字状またはコ字状の遮蔽体と、を有し、
前記遮蔽体は、前記一対の側壁を地表に接した状態で、前記水道管を覆い隠す、
ことを特徴とする水道直結化及び配管改修工事に適した水道配管設備。
【請求項２】
前記水道管は、連結された複数の前記遮蔽体によって覆われる、
ことを特徴とする請求項１に記載の水道直結化及び配管改修工事に適した水道配管設備。
【請求項３】
前記水道管および前記遮蔽体は、塀に近接して設置される、
ことを特徴とする請求項１または２に記載の水道直結化及び配管改修工事に適した水道配管設備。
【請求項４】
前記遮蔽体は、前記塀の倒れ防止機能を有する、
ことを特徴とする請求項３に記載の水道直結化及び配管改修工事に適した水道配管設備。
【請求項５】
前記遮蔽体は、金具を介して地表に固定される、
ことを特徴とする請求項１〜４のいずれか一項に記載の水道直結化及び配管改修工事に適した水道配管設備。
【考案の詳細な説明】
【技術分野】
【０００１】
本考案は、水道直結化及び配管改修工事に適した水道配管設備に関する。
【背景技術】
【０００２】
水道設備の給水方式には、配水管内の水圧を利用して十分な量の水を蛇口に送る「直結給水方式」と、建物の屋上などに設置した貯水槽に一旦貯水し、貯水槽から各階の蛇口に水を送る「貯水槽水道方式」とがある。従来の高層建物では、一般的に「貯水槽水道方式」が採用されているが、貯水槽の定期的な点検や清掃などの維持管理が必要になる。これに対し、「直結給水方式」の場合、貯水槽の点検・清掃が不要であり、また貯水槽のスペースが不要なため、敷地を有効活用できるという利点がある。したがって、新たに建造される高層建物では、「直結給水方式」が採用されることが多い。また従来の高層建物でも、「貯水槽水道方式」から「直結給水方式」へと方式切換を行う計画があり、一部では既に実行されている。
従来の建物で方式切換を推進する行う理由は、「貯水槽水道方式」の場合、貯水槽（受水槽）内に貯め水が半日以上保存され、槽内上層にて空気がよどみ、環境温度変化の影響やマイクロ粉塵等の混入により水質悪化の懸念があるため、定期的なメンテナンスが欠かせないという実情があるからである。また、「貯水槽水道方式」では、例えば賃貸住宅の場合にはオーナーが水道水質に責任を持ち、分譲マンション等の場合には、管理組合が水道水質に責任を持つが、水道局は宅地内配管まで水質責任を負わないということもある。これに対し、新たに「直結給水方式」を採用する場合、貯水槽が不要となり、また原則的に水道局が例えば５１項目の水道水質を保証することとなり、建物管理者の負担が減るというメリットがある。
【０００３】
ここで、「直結給水方式」の場合には、高層階に水を供給するために、ある程度の水圧を必要とすることから、従来よりも耐圧性がある水道配管が用いられる。また、「直結給水方式」の場合には、貯水槽を持たず、水道本管の高い圧力を活用して建物の４〜６階程度の蛇口までは、増圧ポンプを使用することなく給水を行うことができる。それ以上の高層階の蛇口まで給水を行うためには、増圧ポンプが必要になる。
さらに、建築年数が古い建物では、水道配管も経年劣化していることが予想される。具体的には、水道配管には、接続部のサビの発生、接着剤や配管自体の経年劣化などにより水漏れが生じることが懸念され、通常は２０〜３０年で新規な水道配管に交換することが必要になる。そこで、方式切換に際しては水道配管の交換が行われることが多い。
かかる場合、水道局が指定する水道配管では、サビの発生を抑制する素材が用いられ、耐用年数は３０〜４０年になるため、交換サイクルが長くなるというメリットがある。また、公共の建物の水道配管では、塗料を用いたライニング等の使用が禁止されているので、水質保証を図ることができる。
【０００４】
水道配管は、一般的には地中に敷設されているので、水道配管を交換する場合には、まず地面を掘り返さなくてはならない。宅地内に埋設された水道配管は、地表より３０ｃｍ以上の深い場所に設置されていることが多いため、掘り返すのに手間がかかる。さらに、水道配管の上層にコンクリートやタイルなどが設置されている場合、これらを破壊して除去する工事が必要となり、工事の手間や費用が過大になると共に、大きな騒音が発生し近所迷惑となりうる。特に、コンクリートの補強のために鉄筋が埋設されている場合、これらを切断除去することは困難な作業となる。さらに、水道配管を地中に埋設した場合、近接する樹木の根が成長して水道配管を持ち上げることにより、水漏れが生じるおそれもある。
【０００５】
特許文献１には、二重管の水道配管において、大径水道管へ更新を行う水道管の更新方法が開示されている。
【先行技術文献】
【特許文献】
【０００６】
【特許文献１】特開２００６−２２８５３号公報
【考案の概要】
【考案が解決しようとする課題】
【０００７】
特許文献１に開示された水道管の更新方法は、鞘管を備えた水道管を更新する際に用いられる技術であり、宅地内の小規模な水道配管などの更新に用いることはできない。
【０００８】
そこで本考案は、従来技術とは異なる視点によりなされたものであり、騒音などの発生を極力抑えつつ、水道配管の更新を安価にかつ短期間で行える水道配管設備を提供することを目的とする。
【課題を解決するための手段】
【０００９】
本考案の水道直結化及び配管改修工事に適した水道配管設備は、
地表に配置された水道管と、
一対の側壁と頂壁とを連結してなる断面Ｕ字状またはコ字状の遮蔽体と、を有し、
前記遮蔽体は、前記一対の側壁を地表に接した状態で、前記水道管を覆い隠す、ことを特徴とする。
【考案の効果】
【００１０】
本考案によれば、騒音などの発生を極力抑えつつ、水道配管の更新を安価にかつ短期間で行える水道配管設備を提供することができる。
【図面の簡単な説明】
【００１１】
【図１】図１は、本実施の形態にかかる水道配管設備を示す斜視図である。
【図２】図２は、本実施の形態にかかる水道配管設備を、水道管の軸線に直交する方向に切断して示す図である。
【考案を実施するための形態】
【００１２】
以下、本考案の実施形態を、図面に基づいて説明する。図１は、本実施の形態にかかる水道配管設備を示す斜視図であり、施工途中の状態を示している。図２は、本実施の形態にかかる水道配管設備を、水道管の軸線に直交する方向に切断して示す図である。
なお、本明細書で「地表」というときは、土層の表面のみならず、土層がコンクリート層やタイルなどの被覆物でおおわれている場合には、該被覆物と大気とが接する表面をいうものとする。
【００１３】
図において、宅地１１と公道１２との境にブロック塀１３が立設されている。宅地１１の土層１４上には、ブロック塀１３に接するまでコンクリート層１５が形成されている。コンクリート層１５の上にタイルなどを設置することもある。
【００１４】
ブロック塀１３の近傍で、且つコンクリート層１５の上面に、ストレートな水道管１６が配置されている。本実施形態の水道管１６は、地表に設置されるので、住人の通行などの邪魔にならないように、また宅地のスペースを有効活用できるよう、例えばブロック塀１３の近傍に配置されることが望ましい。ただし、ブロック塀に限らず、水道管１６は建物の近傍に配置されてもよい。
【００１５】
水道管１６の遠端(図１で奥端）は、不図示の水道本管に接続されている。水道管１６の近端は、継ぎ手１７を介して、メーターボックス１８内の水量計（不図示）に接続されている。水量計を通過し、メーターボックス１８から外部へと延在する配管１９は、不図示の屋内配管に接続されている。
【００１６】
コンクリート層１５の上面に配置された水道管１６は、遮蔽体２０によって覆い隠されている。水道管１６と遮蔽体２０とで、水道配管設備を構成する。
【００１７】
水道管１６を遮蔽体２０によって覆う目的は、水道管１６が地表に設置されるため、重量物の落下など不測の外力を受けて水道管１６が変形・破損することを抑制し、また低温環境にさらされて水道管１６内の水が凍結することを抑制し、さらには直射日光によって水道管１６が劣化することを抑制することにある。このため、遮蔽体２０は、比較的頑丈で、断熱性に優れ、日光を通過させない素材であるコンクリートにより形成されている。遮蔽体２０としては、例えばコンクリート製のＵ字溝を、天地を逆にして使用できる。遮蔽体２０の表面に色や模様を付与することは任意である。
【００１８】
図２において、遮蔽体２０は、ブロック塀１３に近接して配置されており、一対の側壁２１，２２と、側壁２１，２２の上端を連結する頂壁２３とを連設した断面Ｕ字状またはコ字状をなしている。側壁２１，２２の下端をコンクリート層１５に当接させると、周囲をコンクリートに囲まれた空間２４が生じる。この空間２４内に水道管１６を配置することができる。発泡樹脂などの断熱材（保温材）２８を巻き付けた水道管１６を、金属製のサドルバンド２９を用いてボルト３０を介してコンクリート層１５に固定すると、水道管１６の振動や温度変化を抑制することができる。
【００１９】
本実施形態では、コンクリート層１５の表面と、側壁２２の外表面とにわたって、Ｌ字状の金具２５が配置され、コンクリート用のボルト２６により、それぞれ締結されている。これにより、遮蔽体２０をコンクリート層１５に固定することができる。
【００２０】
次に、本実施形態の水道配管設備の設置手順について説明する。ここでは、既存の水道管１６’がメーターボックス１８内の水量計に接続されているものとし、これを新たな水道管１６により更新するものとする。まず、メーターボックス１８の周囲の土層１４を掘って、既存の水道管１６’を露出させ、これを切断する。既存の水道管１６’は地中に残しておいても、特に問題はない。
【００２１】
次いで、新たな水道管１６をブロック塀１３に沿って配置し、切断した既存の水道管１６’の代わりに、継ぎ手１７を介してメーターボックス１８内の水量計に接続するとともに、不図示の本管から既存の水道管１６’の接続を外して、新たな水道管１６に繋ぎ変える。その後、側壁２１，２２の下端にモルタルなどを付与した遮蔽体２０を、水道管１６を覆い隠すようにしてコンクリート層１５上に設置する。さらに、金具２５により遮蔽体２０をコンクリート層１５上に固定する。なお、配管１９が貯水槽（不図示）に接続されていた場合、それをバイパスする屋内配管に繋ぎ変える。
【００２２】
図１に示すように、水道管１６を覆い隠すために複数の遮蔽体２０を直列に連結して用いる場合、隣接する遮蔽体２０の間の隙間にコーキング剤２７などを付与して、隙間を埋めると好ましい。また、ブロック塀１３と側壁２１との間の隙間にも、コーキング剤やモルタルなどを充填することができる。水道管１６を設置した後は、メーターボックス１８の周囲を埋め戻し、整地して工事が完了する。
【００２３】
本実施の形態によれば、既存の水道管１６’を土層１４から撤去することなく、新たな水道管１６を地表に設置するものである。このため、土層１４が堅固なコンクリート層１５で被覆されている場合にも、これを破壊して撤去する必要がなく、水道管１６の設置工事が容易であり、短時間で終了するため断水の時間も短くて済み、また工事の騒音などで近所に迷惑をかけることもない。
【００２４】
また、新たに設置された水道管１６は、堅固な遮蔽体２０によって保護されているため、地中に埋設されている場合と同様、長期間にわたって保護される。仮に、水道管１６を交換する必要が生じた場合には、金具２５を分解して遮蔽体２０を一旦取り外した上で水道管１６の交換を行い、取り外した遮蔽体２０を再度、取り付ければよく、設備の再利用を図ることで廃材も減り、交換に必要な費用を抑えることができる。
【００２５】
さらに、遮蔽体２０をブロック塀１３に近接して配置することで、地震などが起きた場合などに、ブロック塀１３が倒れることを防止する効果もある。また、図２に点線で示すように金具２５を用いて、遮蔽体２０の頂壁２３とブロック塀１３とを連結してもよい。これにより、ブロック塀１３が倒れることをさらに有効に抑制できる。
【符号の説明】
【００２６】
１１  宅地
１２  公道
１３  ブロック塀
１４  土層
１５  コンクリート層
１６  水道管
１７  継ぎ手
１８  メーターボックス
１９  配管
２０  遮蔽体
２１  側壁
２２  側壁
２３  頂部
２４  空間
２５  金具
２６  ボルト
２７  コーキング剤
【図１】
0003227126.tif 000003
【図２】
0003227126.tif 000004